(57)【要約】  本発明は、データカード切り替え装置により、データカードのポート形態フラグを取得するステップと、データカードが対応するポート形態に切り替えるため、データカード切り替え装置により、ポート形態フラグをデータカードに送信するステップとを含むデータカード切り替え方法を開示する。本発明の実施例は、データカード及びデータカード切り替え装置を更に開示する。本発明の実施例では、データカードソフトウェアをアップグレードする必要なく、データカードのモード切り替えが実行されるため、データカードは、データカード切り替え装置から対応するポート形態フラグを取得し、ポート形態フラグに従って対応するポート形態に切り替える。これにより、データカードのメンテナンスコストを低減する。
2016521423.tif 000002
【特許請求の範囲】
【請求項１】
データカード切り替え装置により、データカードのポート形態フラグを取得するステップと、
前記データカードが対応するポート形態に切り替えるように、前記データカード切り替え装置により、前記ポート形態フラグを前記データカードに送信するステップと
を有するデータカード切り替え方法。
【請求項２】
データカード切り替え装置により、データカードのポート形態フラグを取得するステップは、
前記データカード切り替え装置により、前記ポート形態フラグを取得するために対応するポート形態のドライバを実行するステップを具体的に有する、請求項１に記載のデータカード切り替え方法。
【請求項３】
前記データカード切り替え装置により、前記ポート形態フラグを前記データカードに送信するステップは、
前記データカード切り替え装置により、前記データカードが前記データカード切り替え装置に挿入された後又は前記データカードがリスタートした後に、前記ポート形態フラグを前記データカードに送信するステップを具体的に有する、請求項２に記載のデータカード切り替え方法。
【請求項４】
データカード切り替え装置により、データカードのポート形態フラグを取得するステップは、
前記データカード切り替え装置により、ユーザにより設定された前記ポート形態フラグを受信するステップを具体的に有する、請求項１に記載のデータカード切り替え方法。
【請求項５】
前記データカード切り替え装置により、前記ポート形態フラグを前記データカードに送信するステップは、
前記データカードが切り替えを実現するために前記ポート形態フラグを読み取るように、ATコマンドポートを有効にし、ATコマンドを使用することにより、記憶のために前記ポート形態フラグを前記データカードに送信するステップを具体的に有する、請求項４に記載のデータカード切り替え方法。
【請求項６】
データカード切り替え装置により、データカードのポート形態フラグを取得するステップは、
前記データカード切り替え装置により、ポート形態フラグに関する予め組み込まれた構成に従って、前記ポート形態フラグを取得するステップを具体的に有する、請求項１に記載のデータカード切り替え方法。
【請求項７】
前記データカード切り替え装置により、前記ポート形態フラグを前記データカードに送信するステップは、
前記データカードが前記データカード切り替え装置に挿入された場合、前記データカード切り替え装置により、前記データカードにより報告された光ディスクデバイスモードに従って、光ディスクドライバを使用することにより前記ポート形態フラグを前記データカードに送信するステップを具体的に有する、請求項６に記載のデータカード切り替え方法。
【請求項８】
前記ポート形態フラグは、modemポート形態フラグ及びhilinkポート形態フラグを少なくとも有し、前記データカードは、modemポート形態及びhilinkポート形態を少なくとも有する、請求項１ないし７のうちいずれか１項に記載のデータカード切り替え方法。
【請求項９】
データカードにより、データカード切り替え装置からポート形態フラグを取得するステップと、
前記データカードにより、前記ポート形態フラグに従って対応するポート形態に切り替えるステップと
を有するデータカード切り替え方法。
【請求項１０】
データカードにより、データカード切り替え装置からポート形態フラグを取得するステップは、
前記データカードが前記データカード切り替え装置に挿入された後又は前記データカードがリスタートした後に、前記データカード切り替え装置により送信された前記ポート形態フラグを受信するステップであり、前記データカード切り替え装置により送信された前記ポート形態フラグは、前記データカード切り替え装置において前記対応するポート形態のドライバを実行することにより取得されるステップを具体的に有する、請求項９に記載のデータカード切り替え方法。
【請求項１１】
データカードにより、データカード切り替え装置からポート形態フラグを取得するステップは、
前記データカードが前記データカード切り替え装置に挿入された後又は前記データカードがリスタートした後に、前記データカードに記憶されたポート形態フラグを読み取るステップであり、前記データカードが前記データカード切り替え装置に挿入された場合、前記データカードに記憶された前記ポート形態フラグは、ATコマンドポートを通じてATコマンドを送信することにより、前記データカード切り替え装置により前記データカードのメモリに書き込まれるステップを具体的に有する、請求項９に記載のデータカード切り替え方法。
【請求項１２】
データカードにより、データカード切り替え装置からポート形態フラグを取得するステップは、
前記データカードが前記データカード切り替え装置に挿入された後に、前記データカードにより、光ディスクデバイスに報告し、光ディスクモードを常に変更しないままにし、前記光ディスクモードを使用することにより、前記ポート形態フラグを有しており、前記データカード切り替え装置により送信された光ディスクコマンドを受信するステップを具体的に有する、請求項９に記載のデータカード切り替え方法。
【請求項１３】
前記ポート形態フラグは、modemポート形態フラグ及びhilinkポート形態フラグを少なくとも有し、前記データカードは、modemポート形態及びhilinkポート形態を少なくとも有する、請求項９ないし１２のうちいずれか１項に記載のデータカード切り替え方法。
【請求項１４】
データカードのポート形態フラグを取得するように構成されたポート形態取得ユニットと、
前記データカードが対応するポート形態に切り替えるように、前記ポート形態フラグを前記データカードに送信するように構成されたポート形態送信ユニットと
を有するデータカード切り替え装置。
【請求項１５】
前記ポート形態取得ユニットは、前記ポート形態フラグを取得するために対応するポート形態のドライバを実行するように具体的に構成される、請求項１４に記載のデータカード切り替え装置。
【請求項１６】
前記ポート形態送信ユニットは、前記データカードが前記データカード切り替え装置に挿入された後又は前記データカードがリスタートした後に、前記ポート形態フラグを前記データカードに送信するように具体的に構成される、請求項１５に記載のデータカード切り替え装置。
【請求項１７】
前記ポート形態取得ユニットは、ユーザにより設定された前記ポート形態フラグを受信するように具体的に構成される、請求項１４に記載のデータカード切り替え装置。
【請求項１８】
前記ポート形態送信ユニットは、前記データカードが切り替えを実現するために前記ポート形態フラグを読み取るように、ATコマンドポートを有効にし、ATコマンドを使用することにより、記憶のために前記ポート形態フラグを前記データカードに送信するように具体的に構成される、請求項１７に記載のデータカード切り替え装置。
【請求項１９】
前記ポート形態取得ユニットは、ポート形態フラグに関する予め組み込まれた構成に従って、前記ポート形態フラグを取得するように具体的に構成される、請求項１４に記載のデータカード切り替え装置。
【請求項２０】
前記ポート形態送信ユニットは、前記データカードが前記データカード切り替え装置に挿入された場合、前記データカードにより報告された光ディスクデバイスモードに従って、光ディスクドライバを使用することにより前記ポート形態フラグを前記データカードに送信するように具体的に構成される、請求項１９に記載のデータカード切り替え装置。
【請求項２１】
前記ポート形態フラグは、modemポート形態フラグ及びhilinkポート形態フラグを少なくとも有し、前記データカードは、modemポート形態及びhilinkポート形態を少なくとも有する、請求項１４ないし２０のうちいずれか１項に記載のデータカード切り替え装置。
【請求項２２】
データカード切り替え装置からポート形態フラグを取得するように構成されたポート形態取得ユニットと、
データカードにより、前記ポート形態フラグに従って対応するポート形態に切り替えるように構成された切り替えユニットと
を有するデータカード。
【請求項２３】
前記ポート形態取得ユニットは、前記データカードが前記データカード切り替え装置に挿入された後又は前記データカードがリスタートした後に、前記データカード切り替え装置により送信された前記ポート形態フラグを受信するように具体的に構成され、前記データカード切り替え装置により送信された前記ポート形態フラグは、前記データカード切り替え装置において前記対応するポート形態のドライバを実行することにより取得される、請求項２２に記載のデータカード。
【請求項２４】
前記ポート形態取得ユニットは、前記データカードが前記データカード切り替え装置に挿入された後又は前記データカードがリスタートした後に、前記データカードに記憶されたポート形態フラグを読み取るように具体的に構成され、前記データカードが前記データカード切り替え装置に挿入された場合、前記データカードに記憶された前記ポート形態フラグは、ATコマンドポートを通じてATコマンドを送信することにより、前記データカード切り替え装置により前記データカードのメモリに書き込まれる、請求項２２に記載のデータカード。
【請求項２５】
前記ポート形態取得ユニットは、前記データカードが前記データカード切り替え装置に挿入された後に、光ディスクデバイスに報告し、光ディスクモードを常に変更しないままにし、前記光ディスクモードを使用することにより、前記ポート形態フラグを有しており、前記データカード切り替え装置により送信された光ディスクコマンドを受信するように具体的に構成される、請求項２２に記載のデータカード。
【請求項２６】
前記ポート形態フラグは、modemポート形態フラグ及びhilinkポート形態フラグを少なくとも有し、前記データカードは、modemポート形態及びhilinkポート形態を少なくとも有する、請求項２２ないし２５のうちいずれか１項に記載のデータカード。
【発明の詳細な説明】
【技術分野】
【０００１】
［関連出願への相互参照］
この出願は、2013年6月20日に“DATA  CARD,  AND  DATA  CARD  SWITCHING  METHOD  AND  APPARATUS”という題で中国特許庁に出願された中国特許出願第201310247219.7号の優先権を主張し、この全内容を援用する。
【０００２】
［技術分野］
本発明は、コンピュータ及び通信技術の分野に関し、特にデータカード、並びにデータカード切り替え方法及び装置に関する。
【背景技術】
【０００３】
現在では、データカードのポート形態は一般的に固定されており、１つのデータカードのポート形態は、rndis又はmodemのみである可能性がある。異なるポート形態に切り替える必要が存在する場合、データカードソフトウェアは、その必要を満たすためにアップグレードされる必要がある。例えば、modem形態からhilink形態にデータカードを切り替えるために、hilinkデータカードへのアップグレードが必要になる。hilink形態からmodem形態にデータカードを切り替えるために、modemデータカードへのアップグレードが必要になる。図１及び図２は、２つの形態の間でどのように切り替えが実行されるかを説明している。まず、データカードは、データカード切り替え装置（一般的にはコンピュータ又はビルトインデバイスである）に挿入され、データカード切り替え装置のデータカードソフトウェアは、データカード切り替えを実現するためにアップグレードされる。modemデータカードソフトウェアへのアップグレードは、データカードをmodem形態に切り替え、hilinkデータカードソフトウェアへのアップグレードは、データカードをhilink形態に切り替える。更に、それぞれの切り替えは、データカードソフトウェアの対応する形態へのアップグレードを必要とする。
【０００４】
従来技術では、データカードのモード切り替えは、データカードソフトウェアをアップグレードすることによってのみ実行可能であるため、既に販売されているデータカードについて、データカードソフトウェアをアップグレードすることによりモード切り替えのユーザ要件を満たすことは、高いメンテナンスコストをもたらす。
【発明の概要】
【０００５】
本発明の実施例は、データカード切り替えが実行される場合、データカードソフトウェアをアップグレードする必要によりもたらされる従来技術の高いメンテナンスコストの問題を解決するための、データカード及びデータカード切り替え方法を提供する。
【０００６】
前述の技術的問題を解決するため、本発明の実施例は、以下の技術的対策を開示する。
【０００７】
第１の態様によれば、データカード切り替え方法が提供され、データカード切り替え装置により、データカードのポート形態フラグを取得するステップと、データカードが対応するポート形態に切り替えるように、データカード切り替え装置により、ポート形態フラグをデータカードに送信するステップとを含む。
【０００８】
第１の態様の第１の可能な実現方式では、データカード切り替え装置により、データカードのポート形態フラグを取得するステップは、データカード切り替え装置により、ポート形態フラグを取得するために対応するポート形態のドライバを実行するステップを具体的に含む。
【０００９】
第１の態様の第２の可能な実現方式では、データカード切り替え装置により、ポート形態フラグをデータカードに送信するステップは、データカード切り替え装置により、データカードがデータカード切り替え装置に挿入された後又はデータカードがリスタートした後に、ポート形態フラグをデータカードに送信するステップを具体的に含む。
【００１０】
第１の態様の第３の可能な実現方式では、データカード切り替え装置により、データカードのポート形態フラグを取得するステップは、データカード切り替え装置により、ユーザにより設定されたポート形態フラグを受信するステップを具体的に含む。
【００１１】
第１の態様の第４の可能な実現方式では、データカード切り替え装置により、ポート形態フラグをデータカードに送信するステップは、データカードが切り替えを実現するためにポート形態フラグを読み取るように、ATコマンドポートを有効にし、ATコマンドを使用することにより、記憶のためにポート形態フラグをデータカードに送信するステップを具体的に含む。
【００１２】
第１の態様の第５の可能な実現方式では、データカード切り替え装置により、データカードのポート形態フラグを取得するステップは、データカード切り替え装置により、ポート形態フラグに関する予め組み込まれた構成に従って、ポート形態フラグを取得するステップを具体的に含む。
【００１３】
第１の態様の第６の可能な実現方式では、データカード切り替え装置により、ポート形態フラグをデータカードに送信するステップは、データカードがデータカード切り替え装置に挿入された場合、データカード切り替え装置により、データカードにより報告された光ディスクデバイスモードに従って、光ディスクドライバを使用することによりポート形態フラグをデータカードに送信するステップを具体的に含む。
【００１４】
第１の態様の第７の可能な実現方式では、ポート形態フラグは、modemポート形態フラグ及びhilinkポート形態フラグを少なくとも含み、データカードは、modemポート形態及びhilinkポート形態を少なくとも含む。
【００１５】
第２の態様によれば、データカード切り替え方法が提供され、データカードにより、データカード切り替え装置からポート形態フラグを取得するステップと、データカードにより、ポート形態フラグに従って対応するポート形態に切り替えるステップとを含む。
【００１６】
第２の態様の第１の可能な実現方式では、データカードにより、データカード切り替え装置からポート形態フラグを取得するステップは、データカードがデータカード切り替え装置に挿入された後又はデータカードがリスタートした後に、データカード切り替え装置により送信されたポート形態フラグを受信するステップであり、データカード切り替え装置により送信されたポート形態フラグは、データカード切り替え装置において対応するポート形態のドライバを実行することにより取得されるステップを具体的に含む。
【００１７】
第２の態様の第２の可能な実現方式では、データカードにより、データカード切り替え装置からポート形態フラグを取得するステップは、データカードがデータカード切り替え装置に挿入された後又はデータカードがリスタートした後に、データカードに記憶されたポート形態フラグを読み取るステップであり、データカードがデータカード切り替え装置に挿入された場合、データカードに記憶されたポート形態フラグは、ATコマンドポートを通じてATコマンドを送信することにより、データカード切り替え装置によりデータカードのメモリに書き込まれるステップを具体的に含む。
【００１８】
第２の態様の第３の可能な実現方式では、データカードにより、データカード切り替え装置からポート形態フラグを取得するステップは、データカードがデータカード切り替え装置に挿入された後に、データカードにより、光ディスクデバイスに報告し、光ディスクモードを常に変更しないままにし、光ディスクモードを使用することにより、ポート形態フラグを含んでおり、データカード切り替え装置により送信された光ディスクコマンドを受信するステップを具体的に含む。
【００１９】
第２の態様の第４の可能な実現方式では、ポート形態フラグは、modemポート形態フラグ及びhilinkポート形態フラグを少なくとも含み、データカードは、modemポート形態及びhilinkポート形態を少なくとも含む。
【００２０】
第３の態様によれば、データカード切り替え装置が提供され、データカードのポート形態フラグを取得するように構成されたポート形態取得ユニットと、データカードが対応するポート形態に切り替えるように、ポート形態フラグをデータカードに送信するように構成されたポート形態送信ユニットとを含む。
【００２１】
第３の態様の第１の可能な実現方式では、ポート形態取得ユニットは、ポート形態フラグを取得するために対応するポート形態のドライバを実行するように具体的に構成される。
【００２２】
第３の態様の第２の可能な実現方式では、ポート形態送信ユニットは、データカードがデータカード切り替え装置に挿入された後又はデータカードがリスタートした後に、ポート形態フラグをデータカードに送信するように具体的に構成される。
【００２３】
第３の態様の第３の可能な実現方式では、ポート形態取得ユニットは、ユーザにより設定されたポート形態フラグを受信するように具体的に構成される。
【００２４】
第３の態様の第４の可能な実現方式では、ポート形態送信ユニットは、データカードが切り替えを実現するためにポート形態フラグを読み取るように、ATコマンドポートを有効にし、ATコマンドを使用することにより、記憶のためにポート形態フラグをデータカードに送信するように具体的に構成される。
【００２５】
第３の態様の第５の可能な実現方式では、ポート形態取得ユニットは、ポート形態フラグに関する予め組み込まれた構成に従って、ポート形態フラグを取得するように具体的に構成される。
【００２６】
第３の態様の第６の可能な実現方式では、ポート形態送信ユニットは、データカードがデータカード切り替え装置に挿入された場合、データカードにより報告された光ディスクデバイスモードに従って、光ディスクドライバを使用することによりポート形態フラグをデータカードに送信するように具体的に構成される。
【００２７】
第３の態様の第７の可能な実現方式では、ポート形態フラグは、modemポート形態フラグ及びhilinkポート形態フラグを少なくとも含み、データカードは、modemポート形態及びhilinkポート形態を少なくとも含む。
【００２８】
第４の態様によれば、データカードが提供され、データカード切り替え装置からポート形態フラグを取得するように構成されたポート形態取得ユニットと、データカードにより、ポート形態フラグに従って対応するポート形態に切り替えるように構成された切り替えユニットとを含む。
【００２９】
第４の態様の第１の可能な実現方式では、ポート形態取得ユニットは、データカードがデータカード切り替え装置に挿入された後又はデータカードがリスタートした後に、データカード切り替え装置により送信されたポート形態フラグを受信するように具体的に構成され、データカード切り替え装置により送信されたポート形態フラグは、データカード切り替え装置において対応するポート形態のドライバを実行することにより取得される。
【００３０】
第４の態様の第２の可能な実現方式では、ポート形態取得ユニットは、データカードがデータカード切り替え装置に挿入された後又はデータカードがリスタートした後に、データカードに記憶されたポート形態フラグを読み取るように具体的に構成され、データカードがデータカード切り替え装置に挿入された場合、データカードに記憶されたポート形態フラグは、ATコマンドポートを通じてATコマンドを送信することにより、データカード切り替え装置によりデータカードのメモリに書き込まれる。
【００３１】
第４の態様の第３の可能な実現方式では、ポート形態取得ユニットは、データカードがデータカード切り替え装置に挿入された後に、光ディスクデバイスに報告し、光ディスクモードを常に変更しないままにし、光ディスクモードを使用することにより、ポート形態フラグを含んでおり、データカード切り替え装置により送信された光ディスクコマンドを受信するように具体的に構成される。
【００３２】
第４の態様の第４の可能な実現方式では、ポート形態フラグは、modemポート形態フラグ及びhilinkポート形態フラグを少なくとも含み、データカードは、modemポート形態及びhilinkポート形態を少なくとも含む。
【００３３】
本発明の実施例では、データカードソフトウェアをアップグレードする必要なく、データカードのモード切り替えが実行されるように、データカードは、データカード切り替え装置から対応するポート形態フラグを取得し、ポート形態フラグに従って対応するポート形態に切り替える。これにより、データカードのメンテナンスコストを低減する。
【図面の簡単な説明】
【００３４】
本発明の実施例又は従来技術の技術的対策を更に明確に説明するために、以下に、実施例又は従来技術を説明するために必要な添付図面を簡単に紹介する。明らかに、以下の説明の添付図面は、本発明の幾つかの実施例を示しており、当業者は、創造的取り組みを行うことなく、これらの添付図面から依然として他の図面を導き得る。
【図１】従来技術においてデータカードがhilinkポート形態からmodemポート形態に切り替える概略図
【図２】従来技術においてデータカードがmodemポート形態からhilinkポート形態に切り替える概略図
【図３】本発明の実施例によるデータカード切り替え方法のフローチャート
【図４】本発明の実施例による他のデータカード切り替え方法のフローチャート
【図５】本発明の実施例によるデータカード切り替え装置の概略構成図
【図６】本発明の実施例によるデータカードの概略構成図
【図７】最初にデータカードが初期設定でhilinkポート形態に設定される場合、本発明の実施例に従ってデータカードドライバを実行することにより切り替えが実現されるデータカード切り替え方法のフローチャート
【図８】本発明の実施例に従ってデータカードドライバを実行することによりhilinkポート形態からmodemポート形態に切り替えが実現される処理における切り替えのフローチャート
【図９】本発明の実施例に従ってデータカードドライバを実行することによりmodemポート形態からhilinkポート形態に切り戻しが実現される処理における切り替えのフローチャート
【図１０】本発明の実施例に従ってモード切り替えツールを実行することによりhilinkポート形態からmodemポート形態に切り替えが実現される処理における切り替えのフローチャート
【図１１】本発明の実施例に従ってモード切り替えツールを実行することによりmodemポート形態からhilinkポート形態に切り替えが実現される処理における切り替えのフローチャート
【図１２】本発明の実施例に従ってビルトインデバイスにおいてhilinkポート形態からmodemポート形態に切り替えが実現される処理における切り替えのフローチャート
【図１３】本発明の実施例によるデータカード切り替え装置のハードウェアの概略構成図
【発明を実施するための形態】
【００３５】
本発明の実施例の目的、技術的対策及び利点を明確にするために、以下に、本発明の実施例の添付図面を参照して、本発明の実施例の技術的対策を明確に説明する。明らかに、説明する実施例は、本発明の実施例の全てではなく、一部である。創造的取り組みを行うことなく本発明の実施例に基づいて当業者により得られる全ての他の実施例は、本発明の保護範囲内に入るものとする。
【００３６】
以下に、更に、添付図面及び実施例を参照して本発明の具体的な実現方式について詳細に説明する。以下の実施例は、本発明を説明するために使用されるものであり、本発明の範囲を限定するために使用されるものではない。
【００３７】
本発明の第１の実施例は、データカード切り替え方法を提供する。図３に示すように、この方法は以下を含む。
【００３８】
ステップS310：データカード切り替え装置は、データカードのポート形態フラグを取得する。
【００３９】
ステップS320：データカードが対応するポート形態に切り替えるように、データカード切り替え装置は、ポート形態フラグをデータカードに送信する。切り替え装置がポート形態フラグをデータカードに送信した後に、データカードは、まずD+（USBインタフェースのデータ線）にプルダウンし、データカードの切り替えを実現するため、データカード切り替え装置に対してポート形態記述子を再取得するように通知する。
【００４０】
この実施例では、データカード切り替え装置がデータカードのポート形態フラグを取得するステップS310は、以下の３つの方式を含む。
【００４１】
方式１：データカード切り替え装置は、対応するポート形態のドライバを実行することにより、ポート形態フラグを取得する。例えば、データカード切り替え装置は、コンピュータであり、データカードがコンピュータに挿入された場合、光ディスクのドライブレターがコンピュータに現れ、ユーザは、光ディスクを使用することにより、データカードに組み込まれたドライバ及びアプリケーションプログラムをインストールしてもよい。コンピュータの自動オペレーション機能が有効である場合、コンピュータは、光ディスクの初期設定のポート形態ドライバを自動的にインストールする。自動オペレーション機能が有効でない場合、手動のインストールがユーザにより実行される。初期設定のポート形態がインストールされた後に、オペレーティングシステムのMSOS記述子は、対応するポート形態フラグに変更される。他のポート形態ドライバがコンピュータにインストールされる場合、ポート形態ドライバがインストールされた後に、オペレーティングシステムのMSOS記述子は、対応するポート形態フラグに変更される。この場合、ステップ320において、データカードがデータカード切り替え装置に挿入された後又はデータカードがリスタートした後に、データカード切り替え装置は、ポート形態フラグをデータカードに送信する。すなわち、コンピュータは、オペレーティングシステムのMSOS記述子をデータカードに送信する。
【００４２】
方式２：データカード切り替え装置は、ユーザにより設定されたポート形態フラグを受信する。ステップS320は、具体的に、データカードが切り替えを実現するためにポート形態フラグを読み取るように、データカード切り替え装置がATコマンドポートを有効にし、ATコマンドを使用することにより、記憶のためにポート形態フラグをデータカードに送信することである。
【００４３】
方式３：データカード切り替え装置は、ポート形態フラグに関する予め組み込まれた構成に従って、ポート形態フラグを取得する。例えば、データカード切り替え装置は、ビルトインデバイスである（一般的に、データカードに組み込まれたドライバ又はアプリケーションプログラムは、ビルトインデバイス、例えば、ゲートウェイにインストールできず、従って、データカードの状態は、組み込まれたドライバ及びプログラムを使用することにより切り替えできない）。従って、切り替えは、ビルトインデバイスに予め構成されたポート形態フラグを使用することにより、挿入されたデータカードで実行される。ステップS320において、データカードがデータカード切り替え装置に挿入された場合、データカード切り替え装置は、データカードにより報告された光ディスクデバイスモードに従って、光ディスクドライバを使用することによりポート形態フラグをデータカードに送信する。
【００４４】
この実施例では、ポート形態フラグは、modemポート形態フラグ及びhilinkポート形態フラグを少なくとも含み、データカードは、modemポート形態及びhilinkポート形態を少なくとも含む。
【００４５】
本発明の第２の実施例は、他のデータカード切り替え方法を提供する。図４に示すように、この方法は以下を含む。
【００４６】
ステップS410：データカードは、データカード切り替え装置からポート形態フラグを取得する。
【００４７】
ステップS420：データカードは、ポート形態フラグに従って対応するポート形態に切り替える。
【００４８】
この実施例では、データカードがデータカード切り替え装置からポート形態フラグを取得するステップS310は、以下の３つの方式を含む。
【００４９】
方式１：データカードがデータカード切り替え装置に挿入された後又はデータカードがリスタートした後に、データカード切り替え装置により送信されたポート形態フラグが受信される。データカード切り替え装置により送信されたポート形態フラグは、データカード切り替え装置において対応するポート形態のドライバを実行することにより取得される。例えば、データカード切り替え装置は、コンピュータであり、データカードがコンピュータに挿入された場合、光ディスクのドライブレターがコンピュータに現れ、ユーザは、光ディスクを使用することにより、データカードに組み込まれたドライバ及びアプリケーションプログラムをインストールしてもよい。コンピュータの自動オペレーション機能が有効である場合、コンピュータは、光ディスクの初期設定のポート形態ドライバを自動的にインストールする。自動オペレーション機能が有効でない場合、手動のインストールがユーザにより実行される。初期設定のポート形態がインストールされた後に、オペレーティングシステムのMSOS記述子は、対応するポート形態フラグに変更される。他のポート形態ドライバがコンピュータにインストールされる場合、ポート形態ドライバがインストールされた後に、オペレーティングシステムのMSOS記述子は、対応するポート形態フラグに変更される。データカードがデータカード切り替え装置に挿入された後又はデータカードがリスタートした後に、データカード切り替え装置は、ポート形態フラグをデータカードに送信する。すなわち、コンピュータは、オペレーティングシステムのMSOS記述子をデータカードに送信する。
【００５０】
方式２：データカードがデータカード切り替え装置に挿入された後又はデータカードがリスタートした後に、データカードに記憶されたポート形態フラグが読み取られる。データカードがデータカード切り替え装置に挿入された場合、データカードに記憶されたポート形態フラグは、ATコマンドポートを通じてATコマンドを送信することにより、データカード切り替え装置によりデータカードのメモリに書き込まれる。
【００５１】
方式３：データカードがデータカード切り替え装置に挿入された後に、データカードは、光ディスクデバイスに報告し、光ディスクモードを変更しないままにし、光ディスクモードを使用することにより、ポート形態フラグを含んでおり、データカード切り替え装置により送信された光ディスクコマンドを受信する。
【００５２】
この実施例では、ポート形態フラグは、modemポート形態フラグ及びhilinkポート形態フラグを少なくとも含み、データカードは、modemポート形態及びhilinkポート形態を少なくとも含む。
【００５３】
本発明の第３の実施例は、データカード切り替え装置500を提供する。図５に示すように、この装置は、データカードのポート形態フラグを取得するように構成されたポート形態取得ユニット510と、データカードが対応するポート形態に切り替えるように、ポート形態フラグをデータカードに送信するように構成されたポート形態送信ユニット520とを含む。
【００５４】
この実施例では、ポート形態取得ユニット510がデータカードのポート形態フラグを取得することは、以下の３つの方式を含む。
【００５５】
方式１：ポート形態取得ユニット510は、対応するポート形態のドライバを実行することにより、ポート形態フラグを取得するように具体的に構成される。ポート形態フラグが取得された後に、ポート形態送信ユニット520は、データカードがデータカード切り替え装置に挿入された後又はデータカードがリスタートした後に、ポート形態フラグをデータカードに送信するように具体的に構成される。
【００５６】
方式２：ポート形態取得ユニット510は、ユーザにより設定されたポート形態フラグを受信するように具体的に構成される。ポート形態フラグが取得された後に、ポート形態送信ユニット520は、データカードが切り替えを実現するためにポート形態フラグを読み取るように、ATコマンドポートを有効にし、ATコマンドを使用することにより、記憶のためにポート形態フラグをデータカードに送信するように具体的に構成される。
【００５７】
方式３：ポート形態取得ユニット510は、ポート形態フラグに関する予め組み込まれた構成に従って、ポート形態フラグを取得するように具体的に構成される。ポート形態フラグが取得された後に、ポート形態送信ユニット520は、データカードがデータカード切り替え装置に挿入された場合、データカードにより報告された光ディスクデバイスモードに従って、光ディスクドライバを使用することによりポート形態フラグをデータカードに送信するように具体的に構成される。
【００５８】
この実施例では、ポート形態フラグは、modemポート形態フラグ及びhilinkポート形態フラグを少なくとも含み、データカードは、modemポート形態及びhilinkポート形態を少なくとも含む。
【００５９】
本発明の第４の実施例は、データカード600を提供する。図６に示すように、データカードは、データカード切り替え装置からポート形態フラグを取得するように構成されたポート形態取得ユニット610と、データカードにより、ポート形態フラグに従って対応するポート形態に切り替えるように構成された切り替えユニット620とを含む。
【００６０】
この実施例では、データカードのポート形態取得ユニット610がポート形態フラグを取得することは、以下の３つの方式を含む。
【００６１】
方式１：ポート形態取得ユニット610は、データカードがデータカード切り替え装置に挿入された後又はデータカードがリスタートした後に、データカード切り替え装置により送信されたポート形態フラグを受信するように具体的に構成され、データカード切り替え装置により送信されたポート形態フラグは、データカード切り替え装置において対応するポート形態のドライバを実行することにより取得される。
【００６２】
方式２：ポート形態取得ユニット610は、データカードがデータカード切り替え装置に挿入された後又はデータカードがリスタートした後に、データカードに記憶されたポート形態フラグを読み取るように具体的に構成され、データカードがデータカード切り替え装置に挿入された場合、データカードに記憶されたポート形態フラグは、ATコマンドポートを通じてATコマンドを送信することにより、データカード切り替え装置によりデータカードのメモリに書き込まれる。
【００６３】
方式３：ポート形態取得ユニット620は、データカードがデータカード切り替え装置に挿入された後に、光ディスクデバイスに報告し、光ディスクモードを常に変更しないままにし、光ディスクモードを使用することにより、ポート形態フラグを含んでおり、データカード切り替え装置により送信された光ディスクコマンドを受信するように具体的に構成される。
【００６４】
この実施例では、ポート形態フラグは、modemポート形態フラグ及びhilinkポート形態フラグを少なくとも含み、データカードは、modemポート形態及びhilinkポート形態を少なくとも含む。
【００６５】
以下に、具体的な切り替えの例を使用することにより本発明について説明する。
【００６６】
データカード切り替え装置がコンピュータである場合、切り替えは、以下の２つの方式を使用することにより実行されてもよい。
【００６７】
方式１：ユーザは、最初にデータカードを使用する。初期設定の形態は、hilink形態である。図７に示すように、図７は、データカードのポート形態の切り替えの具体的なフローチャートである。データカードが最初にユーザのコンピュータに挿入された場合、光ディスクのドライブレターがコンピュータに現れ、コンピュータの自動オペレーション機能が有効である場合、コンピュータは、光ディスクに組み込まれたhilinkサービスを自動的にインストールする。自動オペレーション機能が有効でない場合、ユーザは、hilinkサービスを手動でインストールする。hilinkサービスがインストールされた後に、オペレーティングシステムのMSOS記述子は、hilinkフラグに変更される。
【００６８】
データカードが再挿入又はリスタートした後に、データカードは、hilinkフラグのMSOS記述子を受信し、データカードは、hilink形態に切り替える。
【００６９】
図８に示すように、ユーザは、コンピュータにmodemドライバをインストールする。インストールが完了した後に、modemドライバは、MSOS記述子をmodemフラグに設定する。
【００７０】
データカードが再挿入又はリスタートした後に、データカードは、modemフラグのMSOS記述子を受信し、データカードは、modem形態に切り替える。
【００７１】
図９に示すように、ユーザは、modemドライバをアンインストールする。アンインストールプログラムは、まずMSOS記述子をhilinkフラグに変更し、次にPCからmodemドライバを削除する。
【００７２】
データカードが再挿入又はリスタートした後に、データカードは、hilinkフラグのMSOS記述子を受信し、データカードは、hilink形態に切り替える。
【００７３】
方式２：この対策では、永続的な記憶のためにデータカードのポート形態フラグをデータカードに送信するために、モード切り替えツール（ユーザにより設定されたポート形態フラグを取得するため、ユーザインタフェースを提供することができる、データカードに組み込まれたアプリケーションプログラム）が使用される。電源オンになった後に、データカードは、フラグを読み取り、対応するモードに自動的に切り替わる。例えば、modemモードが読み取られた場合、データカードは、modem形態に切り替える。hilinkモードが読み取られた場合、データカードは、hilinkモードに切り替える。対応する処理は、図１０及び図１１に示されている。図１０は、modemからhilinkへの切り替えの処理を示しており、図１１は、hilinkからmodemへの切り替えの処理を示している。hilink形態の場合、データカードはネットワークアダプタのもとで動作するため、データカードは、ATコマンドポートに切り替えられる必要があり、次にATコマンドを送信する。
【００７４】
データカード切り替え装置がビルトインデバイスである場合、切り替えは、以下の方式を使用することにより実行されてもよい。
【００７５】
図１２に示すように、この対策では、ビルトインデバイスに挿入されたhilinkデータカードがmodemモードに直接切り替えられるように、特別な光ディスクSCSIコマンドがデータカードに直接配信される。一般的に、データカードに組み込まれたドライバ又はアプリケーションプログラムは、ビルトインデバイス、例えば、ゲートウェイにインストールできず、従って、データカードの状態は、組み込まれたドライバ及びアプリケーションプログラムを使用することにより切り替えできない。しかし、hilinkデータカードがゲートウェイデバイスに挿入された場合、データカードは、光ディスクデバイスに報告し、光ディスクモードを変更しないままにする。この場合、データカードが自動的にmodem形態に切り替えられるように、ゲートウェイに統合された光ディスクドライバは、特別な光ディスクを配信してもよい。最後に、ゲートウェイのダイヤラは、modemポート又はNdisポートを通じてダイヤルする。
【００７６】
既に販売されているデータカードについて、データカードは、一度だけアップグレードされる必要があるだけであり、データカードのドライバ及びアプリケーションプログラムがアップグレードされた場合、切り替えは前述の方式に従って実行され得る。
【００７７】
本発明によるデータカード切り替え装置1000は、既存のコンピュータと類似しており、入力インタフェース1010及び出力インタフェース1020を通じて外部デバイス（データカード）と情報を交換する。例えば、データカードがデータカード切り替え装置1000に挿入された場合、データカードのポート形態フラグを取得するため、データカードの初期設定のドライバ又はアプリケーションプログラムは、入力インタフェース1010を通じて取得される。出力インタフェース1020は、取得されたポート形態フラグをデータカードに送信する。データカード切り替え装置1000は、データカードとの相互作用の全体処理を制御するために、プロセッサ1030を使用する。
【００７８】
当業者は、本発明の各態様又は各態様の可能な実現方式が具体的にシステム、方法又はコンピュータプログラムプロダクトとして実現されてもよいことを認識し得る。従って、本発明の各態様又は各態様の可能な実現方式は、ハードウェアのみの実施例、ソフトウェアのみの実施例（ファームウェア、常駐ソフトウェア等を含む）、又はソフトウェアとハードウェアとの組み合わせの実施例の形式を使用してもよい。これらは、ここでは、一律に“回路”、“モジュール”又は“システム”と呼ばれる。更に、本発明の各態様又は各態様の可能な実現方式は、コンピュータプログラムプロダクトの形式になってもよい。コンピュータプログラムプロダクトは、コンピュータ読み取り可能媒体に記憶されたコンピュータ読み取り可能プログラムコードを示す。
【００７９】
コンピュータ読み取り可能媒体は、コンピュータ読み取り可能信号媒体又はコンピュータ読み取り可能記憶媒体でもよい。コンピュータ読み取り可能記憶媒体は、ランダムアクセスメモリ（RAM）、読み取り専用メモリ（ROM）、消去可能プログラム可能読み取り専用メモリ（EPROM又はフラッシュメモリ）、光ファイバ又はコンパクトディスク読み取り専用メモリ（CD-ROM）のような、電気、磁気、光、電磁気、赤外線又は半導体のシステム、デバイス若しくは装置、又はこれらのいずれか適切な組み合わせを含むが、これらに限定されない。
【００８０】
コンピュータのプロセッサは、プロセッサがフローチャートの各ステップ又はステップの組み合わせで指定された機能及び動作を実行することができるように、コンピュータ読み取り可能媒体に記憶されたコンピュータ読み取り可能プログラムコードを読み取り、ブロック図の各ブロック又はブロックの組み合わせで指定された機能及び動作を実現する装置が生成される。
【００８１】
全てのコンピュータ読み取り可能プログラムコードは、ユーザコンピュータで実行されてもよく、一部は、スタンドアローンのソフトウェアパッケージとしてユーザコンピュータで実行されてもよく、一部がユーザのコンピュータで実行されて一部が遠隔コンピュータで実行されてもよく、全てのコードが遠隔コンピュータ又はサーバで実行されてもよい。また、或る別の実現の対策では、フローチャートの各ステップ又はブロック図の各ブロックで指定された機能は、図示の順序で生じなくてもよい点に留意すべきである。例えば、関係する機能に応じて、連続して図示の２つのステップ又は２つのブロックは、実際に実質的に同時に実行されてもよく、これらのブロックが場合によっては逆の順序で実行されてもよい。
【００８２】
明らかに、当業者は、本発明の要旨及び範囲を逸脱することなく、本発明に様々な変更及び変形を行うことができる。本発明は、以下の特許請求の範囲及びこれらの均等物により規定される保護範囲内に入ることを前提として、これらの変更及び変形をカバーすることを意図する。
【図１】
2016521423.tif 000003
【図２】
2016521423.tif 000004
【図３】
2016521423.tif 000005
【図４】
2016521423.tif 000006
【図５】
2016521423.tif 000007
【図６】
2016521423.tif 000008
【図７】
2016521423.tif 000009
【図８】
2016521423.tif 000010
【図９】
2016521423.tif 000011
【図１０】
2016521423.tif 000012
【図１１】
2016521423.tif 000013
【図１２】
2016521423.tif 000014
【図１３】
2016521423.tif 000015
【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
データカード切り替え装置により、データカードのポート形態フラグを取得するステップと、
前記データカードが対応するポート形態に切り替えるように、前記データカード切り替え装置により、前記ポート形態フラグを前記データカードに送信するステップと
を有するデータカード切り替え方法。
【請求項２】
データカード切り替え装置により、データカードのポート形態フラグを取得するステップは、
前記データカード切り替え装置により、前記ポート形態フラグを取得するために対応するポート形態のドライバを実行するステップを有する、請求項１に記載のデータカード切り替え方法。
【請求項３】
前記データカード切り替え装置により、前記ポート形態フラグを前記データカードに送信するステップは、
前記データカード切り替え装置により、前記データカードが前記データカード切り替え装置に挿入された後又は前記データカードがリスタートした後に、前記ポート形態フラグを前記データカードに送信するステップを有する、請求項２に記載のデータカード切り替え方法。
【請求項４】
データカード切り替え装置により、データカードのポート形態フラグを取得するステップは、
前記データカード切り替え装置により、ユーザにより設定された前記ポート形態フラグを受信するステップを有する、請求項１に記載のデータカード切り替え方法。
【請求項５】
前記データカード切り替え装置により、前記ポート形態フラグを前記データカードに送信するステップは、
前記データカードが切り替えを実現するために前記ポート形態フラグを読み取るように、ATコマンドポートを有効にし、ATコマンドを使用することにより、記憶のために前記ポート形態フラグを前記データカードに送信するステップを有する、請求項４に記載のデータカード切り替え方法。
【請求項６】
データカード切り替え装置により、データカードのポート形態フラグを取得するステップは、
前記データカード切り替え装置により、ポート形態フラグに関する予め組み込まれた構成に従って、前記ポート形態フラグを取得するステップを有する、請求項１に記載のデータカード切り替え方法。
【請求項７】
前記データカード切り替え装置により、前記ポート形態フラグを前記データカードに送信するステップは、
前記データカードが前記データカード切り替え装置に挿入された場合、前記データカード切り替え装置により、前記データカードにより報告された光ディスクデバイスモードに従って、光ディスクドライバを使用することにより前記ポート形態フラグを前記データカードに送信するステップを有する、請求項６に記載のデータカード切り替え方法。
【請求項８】
前記ポート形態フラグは、modemポート形態フラグ又はhilinkポート形態フラグを少なくとも有し、前記データカードは、modemポート形態及びhilinkポート形態を少なくとも有する、請求項１ないし７のうちいずれか１項に記載のデータカード切り替え方法。
【請求項９】
データカードにより、データカード切り替え装置からポート形態フラグを取得するステップと、
前記データカードにより、前記ポート形態フラグに従って対応するポート形態に切り替えるステップと
を有するデータカード切り替え方法。
【請求項１０】
データカードにより、データカード切り替え装置からポート形態フラグを取得するステップは、
前記データカードが前記データカード切り替え装置に挿入された後又は前記データカードがリスタートした後に、前記データカード切り替え装置により送信された前記ポート形態フラグを受信するステップであり、前記データカード切り替え装置により送信された前記ポート形態フラグは、前記データカード切り替え装置において前記対応するポート形態のドライバを実行することにより取得されるステップを有する、請求項９に記載のデータカード切り替え方法。
【請求項１１】
データカードにより、データカード切り替え装置からポート形態フラグを取得するステップは、
前記データカードが前記データカード切り替え装置に挿入された後又は前記データカードがリスタートした後に、前記データカードに記憶されたポート形態フラグを読み取るステップであり、前記データカードが前記データカード切り替え装置に挿入された場合、前記データカードに記憶された前記ポート形態フラグは、ATコマンドポートを通じてATコマンドを送信することにより、前記データカード切り替え装置により前記データカードのメモリに書き込まれるステップを有する、請求項９に記載のデータカード切り替え方法。
【請求項１２】
データカードにより、データカード切り替え装置からポート形態フラグを取得するステップは、
前記データカードが前記データカード切り替え装置に挿入された後に、前記データカードにより、光ディスクデバイスに報告し、光ディスクモードを常に変更しないままにし、前記光ディスクモードを使用することにより、前記ポート形態フラグを有しており、前記データカード切り替え装置により送信された光ディスクコマンドを受信するステップを有する、請求項９に記載のデータカード切り替え方法。
【請求項１３】
前記ポート形態フラグは、modemポート形態フラグ又はhilinkポート形態フラグを少なくとも有し、前記データカードは、modemポート形態及びhilinkポート形態を少なくとも有する、請求項９ないし１２のうちいずれか１項に記載のデータカード切り替え方法。
【請求項１４】
データカードのポート形態フラグを取得するように構成されたポート形態取得ユニットと、
前記データカードが対応するポート形態に切り替えるように、前記ポート形態フラグを前記データカードに送信するように構成されたポート形態送信ユニットと
を有するデータカード切り替え装置。
【請求項１５】
前記ポート形態取得ユニットは、前記ポート形態フラグを取得するために対応するポート形態のドライバを実行するように構成される、請求項１４に記載のデータカード切り替え装置。
【請求項１６】
前記ポート形態送信ユニットは、前記データカードが前記データカード切り替え装置に挿入された後又は前記データカードがリスタートした後に、前記ポート形態フラグを前記データカードに送信するように構成される、請求項１５に記載のデータカード切り替え装置。
【請求項１７】
前記ポート形態取得ユニットは、ユーザにより設定された前記ポート形態フラグを受信するように構成される、請求項１４に記載のデータカード切り替え装置。
【請求項１８】
前記ポート形態送信ユニットは、前記データカードが切り替えを実現するために前記ポート形態フラグを読み取るように、ATコマンドポートを有効にし、ATコマンドを使用することにより、記憶のために前記ポート形態フラグを前記データカードに送信するように構成される、請求項１７に記載のデータカード切り替え装置。
【請求項１９】
前記ポート形態取得ユニットは、ポート形態フラグに関する予め組み込まれた構成に従って、前記ポート形態フラグを取得するように構成される、請求項１４に記載のデータカード切り替え装置。
【請求項２０】
前記ポート形態送信ユニットは、前記データカードが前記データカード切り替え装置に挿入された場合、前記データカードにより報告された光ディスクデバイスモードに従って、光ディスクドライバを使用することにより前記ポート形態フラグを前記データカードに送信するように構成される、請求項１９に記載のデータカード切り替え装置。
【請求項２１】
前記ポート形態フラグは、modemポート形態フラグ又はhilinkポート形態フラグを少なくとも有し、前記データカードは、modemポート形態及びhilinkポート形態を少なくとも有する、請求項１４ないし２０のうちいずれか１項に記載のデータカード切り替え装置。
【請求項２２】
データカード切り替え装置からポート形態フラグを取得するように構成されたポート形態取得ユニットと、
データカードにより、前記ポート形態フラグに従って対応するポート形態に切り替えるように構成された切り替えユニットと
を有するデータカード。
【請求項２３】
前記ポート形態取得ユニットは、前記データカードが前記データカード切り替え装置に挿入された後又は前記データカードがリスタートした後に、前記データカード切り替え装置により送信された前記ポート形態フラグを受信するように構成され、前記データカード切り替え装置により送信された前記ポート形態フラグは、前記データカード切り替え装置において前記対応するポート形態のドライバを実行することにより取得される、請求項２２に記載のデータカード。
【請求項２４】
前記ポート形態取得ユニットは、前記データカードが前記データカード切り替え装置に挿入された後又は前記データカードがリスタートした後に、前記データカードに記憶されたポート形態フラグを読み取るように構成され、前記データカードが前記データカード切り替え装置に挿入された場合、前記データカードに記憶された前記ポート形態フラグは、ATコマンドポートを通じてATコマンドを送信することにより、前記データカード切り替え装置により前記データカードのメモリに書き込まれる、請求項２２に記載のデータカード。
【請求項２５】
前記ポート形態取得ユニットは、前記データカードが前記データカード切り替え装置に挿入された後に、光ディスクデバイスに報告し、光ディスクモードを常に変更しないままにし、前記光ディスクモードを使用することにより、前記ポート形態フラグを有しており、前記データカード切り替え装置により送信された光ディスクコマンドを受信するように構成される、請求項２２に記載のデータカード。
【請求項２６】
前記ポート形態フラグは、modemポート形態フラグ又はhilinkポート形態フラグを少なくとも有し、前記データカードは、modemポート形態及びhilinkポート形態を少なくとも有する、請求項２２ないし２５のうちいずれか１項に記載のデータカード。
【手続補正２】
【補正対象書類名】明細書
【補正対象項目名】００１４
【補正方法】変更
【補正の内容】
【００１４】
第１の態様の第７の可能な実現方式では、ポート形態フラグは、modemポート形態フラグ又はhilinkポート形態フラグを少なくとも含み、データカードは、modemポート形態及びhilinkポート形態を少なくとも含む。
【手続補正３】
【補正対象書類名】明細書
【補正対象項目名】００１９
【補正方法】変更
【補正の内容】
【００１９】
第２の態様の第４の可能な実現方式では、ポート形態フラグは、modemポート形態フラグ又はhilinkポート形態フラグを少なくとも含み、データカードは、modemポート形態及びhilinkポート形態を少なくとも含む。
【手続補正４】
【補正対象書類名】明細書
【補正対象項目名】００２７
【補正方法】変更
【補正の内容】
【００２７】
第３の態様の第７の可能な実現方式では、ポート形態フラグは、modemポート形態フラグ又はhilinkポート形態フラグを少なくとも含み、データカードは、modemポート形態及びhilinkポート形態を少なくとも含む。
【手続補正５】
【補正対象書類名】明細書
【補正対象項目名】００３２
【補正方法】変更
【補正の内容】
【００３２】
第４の態様の第４の可能な実現方式では、ポート形態フラグは、modemポート形態フラグ又はhilinkポート形態フラグを少なくとも含み、データカードは、modemポート形態及びhilinkポート形態を少なくとも含む。
【手続補正６】
【補正対象書類名】明細書
【補正対象項目名】００４４
【補正方法】変更
【補正の内容】
【００４４】
この実施例では、ポート形態フラグは、modemポート形態フラグ又はhilinkポート形態フラグを少なくとも含み、データカードは、modemポート形態及びhilinkポート形態を少なくとも含む。
【手続補正７】
【補正対象書類名】明細書
【補正対象項目名】００５２
【補正方法】変更
【補正の内容】
【００５２】
この実施例では、ポート形態フラグは、modemポート形態フラグ及びhilinkポート形態フラグを少なくとも含み、データカードは、modemポート形態又はhilinkポート形態を少なくとも含む。
【手続補正８】
【補正対象書類名】明細書
【補正対象項目名】００５８
【補正方法】変更
【補正の内容】
【００５８】
この実施例では、ポート形態フラグは、modemポート形態フラグ又はhilinkポート形態フラグを少なくとも含み、データカードは、modemポート形態及びhilinkポート形態を少なくとも含む。
【手続補正９】
【補正対象書類名】明細書
【補正対象項目名】００６４
【補正方法】変更
【補正の内容】
【００６４】
この実施例では、ポート形態フラグは、modemポート形態フラグ又はhilinkポート形態フラグを少なくとも含み、データカードは、modemポート形態及びhilinkポート形態を少なくとも含む。
【国際調査報告】
2016521423.tif 000016
2016521423.tif 000017
2016521423.tif 000018
2016521423.tif 000019